(57)【要約】【課題】  パネル操作装置の操作パネル部に対する操作実現のためのパネル操作用スタイラスペンの移動範囲を小さくできるようにする。【解決手段】  パネル操作装置１は、タッチ操作入力点の配列された操作パネル部５と、タッチ操作入力点の位置座標を検出する位置検出部３３と、パネル操作用スタイラスペン１１からの指示信号を入力する入力部９と、入力指示信号からモード判別するとともに操作パネル部５の操作入力点における画像に対して予め設定された画像表示機能を実行制御する主制御部２７とを有する。パネル操作用スタイラスペン１１は、スタイラスペン本体１１と、パネル操作装置１の操作パネル部５をタッチ操作するタッチ操作部１５と、スイッチ部１７と、スイッチ部１７のオンオフ操作に基づく指示信号を出力する出力部１９とを有している。【選択図】  図１
2009025861.tif 000002
【特許請求の範囲】
【請求項１】
タッチによって操作入力する入力点が多数配列された操作パネル部と、タッチされた前記入力点の位置座標を検出する位置検出部と、前記タッチ操作を行うパネル操作用スタイラスペンからの指示信号を入力する入力部と、入力された前記指示信号を判別するとともに、前記操作パネル部の前記操作入力点における画像に対して予め設定された画像表示機能を当該判別時に実行制御する制御部とを有するパネル操作装置と、
スタイラスペン本体と、このスタイラスペン本体に配置され前記パネル操作装置の操作パネル部をタッチ操作するタッチ操作部と、前記スタイラスペン本体に配置されたスイッチ部と、このスイッチ部のオンオフ操作に基づく前記指示信号を出力する出力部とを有するパネル操作用スタイラスペンと、
を具備することを特徴とするパネル操作システム。
【請求項２】
前記制御部は前記画像表示機能として画像の直前操作内容を実行制御する請求項１記載のパネル操作システム。
【請求項３】
前記制御部は前記画像表示機能として画像のコピー機能を実行制御する請求項１記載のパネル操作システム。
【請求項４】
前記制御部は前記画像表示機能として画像の整列機能を実行制御する請求項１記載のパネル操作システム。
【請求項５】
前記制御部は前記画像表示機能としてメニュー表示機能を実行制御する請求項１記載のパネル操作システム。
【請求項６】
前記入力部は前記パネル操作用スタイラスペンからの無線指示信号を受信入力し、前記出力部は前記無線指示信号を送信出力する請求項１〜３いずれか１記載のパネル操作システム。
【請求項７】
タッチによって操作入力する入力点が多数配列された操作パネル部と、
タッチされた前記入力点の位置座標を検出する位置検出部と、
前記タッチ操作を行うパネル操作用スタイラスペンからの指示信号を入力する入力部と、
入力された前記指示信号を判別するとともに、前記操作パネル部の前記操作入力点における画像に対して予め設定された画像表示機能を当該判別時に実行制御する制御部と、
を具備することを特徴とするパネル操作装置。
【請求項８】
タッチによって操作入力する入力点が多数配列された操作パネル部に対し、前記タッチ操作によって前記操作パネル部を制御する制御用コンピュータに、
タッチによって前記入力点の前記操作入力を受ける入力処理と、
この入力処理を受けた前記入力点の位置を検出する位置検出処理と、
前記タッチ操作を行うパネル操作用スタイラスペンからの指示信号を入力する入力処理と、
入力された前記指示信号を判別処理するとともに、前記操作パネル部の前記操作入力点における画像に対して予め設定された画像表示機能を当該判別時に実行する機能実行処理と、
を実行させることを特徴とするパネル操作処理プログラム。
【発明の詳細な説明】
【技術分野】
【０００１】
本発明はパネル操作処理システム、パネル操作装置およびパネル操作処理プログラムに係り、例えば携帯用のパーソナルデータ処理端末等に適用して好適するパネル操作処理システム、パネル操作装置およびパネル操作処理プログラムの改良に関する。
【背景技術】
【０００２】
近年、例えばＰＤＡ（Personal Digital Assistant）と称される携帯用のパーソナルデータ処理端末が提供されているが、このようなパーソナルデータ処理端末では操作コマンドやデータを入力する場合、操作パネル部にパネル操作用スタイラスペンをタッチさせる等して入力していた。
【０００３】
そして、パーソナルデータ処理端末において操作変更して種々の操作を切り換え実行する場合、パネル操作用スタイラスペンにて操作パネル部周囲に配置された操作コマンドボタンを一々タッチし直して切り換える必要があり、パネル操作用スタイラスペンの移動範囲が広く操作が煩雑であった。
【０００４】
例えば、図６Ａに示すように、パネル操作装置１の表示パネル部３に描画した図形に色を塗る場合を例にすれば、表示パネル部３の周囲に配置したカラーパレットＰにパネル操作用スタイラスペンを移動させてタッチしていた。
【０００５】
そのような状況を解消するため、従来から種々の工夫がなされており、例えば特開２０００−８１９５１号公報（特許文献１）等が提案されている。
【０００６】
この特許文献１は、タッチパネルと、このタッチパネルにタッチすることにより信号データ入力する入力ペンとを備える入力ペンシステムであり、その入力ペンにマウスの右クリックと左クリックとに対応する切換ボタンを設け、このボタンによる信号に基づいて右クリックと左クリックと切り換えることを可能にし、左右両クリックに対応できるようにしたものである。
【０００７】
また、別の提案として特開２０００−１３７５７０号公報（特許文献２）がある。
【０００８】
この特許文献２は、ペン軸の握り手部分にクリックボタンを設け、ペン軸とパソコンとを有線で接続し、タッチパネルにペン軸の先端を押しつけることによってタッチパネル上のポインタ位置に移動させ、その位置からクリックボタンを押さえることにより、パソコンにクリック動作を伝達する構成を有し、パソコンのドラッグ操作を迅速、容易に行えるようにしたものである。
【０００９】
さらに、別の構成として特開２００１−１６６８８３号公報（特許文献３）も提案されている。
【００１０】
この特許文献３は、無線送信された所定の信号を受信する受信手段と、座標入力面上の指示位置に応じた信号を検出する座標入力手段と、その受信手段で受信した信号に応じた操作情報を生成するとともに、その座標入力手段で検出された信号に応じた座標情報を生成する制御手段を有し、配線を利用することなく、座標入力の操作性を向上したものである。
【００１１】
さらにまた、別の構成として特開２００４−２９９７５号公報（特許文献４）も提案されている。
【００１２】
この特許文献４は、表示部に積層されたタッチパネル上の位置を指定しその位置情報に対応した処理を行わせるタッチペンに、処理内容を指示する操作部と、この操作部からの指示により所定処理を実行するためのコマンド信号を送信するコマンド信号送信部とを設け、このタッチパネルを搭載した電子機器に設けられたコマンド信号受信部へこのコマンド信号を送信して電子機器で所定処理を行わせるようにしたもので、入力途中でタッチペンを離すことなく設定変更が可能で、手の動きを少なくしたものである。
【特許文献１】特開２０００−８１９５１号公報
【特許文献２】特開２０００−１３７５７０号公報
【特許文献３】特開２００１−１６６８８３号公報
【特許文献４】特開２００４−２９９７５号公報
【発明の開示】
【発明が解決しようとする課題】
【００１３】
しかしながら、上述した特許文献１は、単に、入力ペンからのボタン操作によって右クリックと左クリックと切り換えるものであり、特許文献２も、タッチパネルにペン軸の先端操作による機能をクリックボタンによって継続させるものであり、何れも、パネル操作用スタイラスペンのタッチ位置における機能切り換え動作を行うものではなく、表示上の種々の操作を切り換える場合、更なる工夫が必要である。
【００１４】
また、特許文献３は、入力ペンからの信号周波数によって左右のクリック操作を切り換えるものであり、特許文献４も、タッチペンからコマンド信号を無線で電子機器に送信する構成を示しており、入力ペンやタッチペンの構成が複雑化し易く、簡単な構成により、パネル操作用スタイラスペンのタッチ位置における表示上の操作機能を切り換えるには、何れも改良の余地がある。
【００１５】
本発明はそのような課題を解決するためになされたもので、画像表示機能を実現するためのパネル操作用スタイラスペンの移動範囲を小さくすることが容易なパネル操作システム、パネル操作装置およびパネル操作処理プログラムの提供を目的とする。
【課題を解決するための手段】
【００１６】
そのような課題を解決するために本発明に係るパネル操作システムは、タッチによって操作入力する入力点が多数配列された操作パネル部と、タッチされた入力点の位置座標を検出する位置検出部と、そのタッチ操作を行うパネル操作用スタイラスペンからの指示信号を入力する入力部と、入力された指示信号を判別するとともに、その操作パネル部の操作入力点における画像に対して予め設定された画像表示機能を当該判別時に実行制御する制御部とを有するパネル操作装置と、スタイラスペン本体と、このスタイラスペン本体に配置されそのパネル操作装置の操作パネル部をタッチ操作するタッチ操作部と、そのスタイラスペン本体に配置されたスイッチ部と、このスイッチ部のオンオフ操作に基づくその指示信号を出力する出力部とを有するパネル操作用スタイラスペンとを具備している。
【００１７】
本発明のパネル操作システムでは、その制御部がその画像表示機能として画像の直前操作内容を実行制御する構成も可能である。
【００１８】
本発明のパネル操作システムでは、上記制御部がその画像表示機能として画像のコピー機能を実行制御する構成も可能である。
【００１９】
本発明のパネル操作システムでは、その制御部がその記画像表示機能として画像の整列機能を実行制御する構成も可能である。
【００２０】
本発明のパネル操作システムでは、上記制御部がその画像表示機能としてメニュー表示機能を実行制御する構成も可能である。
【００２１】
本発明のパネル操作システムでは、上記入力部がそのパネル操作用スタイラスペンからの無線指示信号を受信入力し、上記出力部がその無線指示信号を送信出力する構成も可能である。
【００２２】
そして、本発明に係るパネル操作装置は、タッチによって操作入力する入力点が多数配列された操作パネル部と、タッチされた入力点の位置座標を検出する位置検出部と、そのタッチ操作を行うパネル操作用スタイラスペンからの指示信号を入力する入力部と、入力された指示信号を判別するとともに、その操作パネル部の操作入力点における画像に対して予め設定された画像表示機能を当該判別時に実行制御する制御部とを具備している。
【００２３】
また、本発明に係るパネル操作プログラムは、タッチによって操作入力する入力点が多数配列された操作パネル部に対し、タッチ操作によってその操作パネル部を制御する制御用コンピュータに、タッチによってその入力点の操作入力を受ける入力処理と、この入力処理を受けた入力点の位置を検出する位置検出処理と、そのタッチ操作を行うパネル操作用スタイラスペンからの指示信号を入力する入力処理と、入力された指示信号を判別処理するとともに、その操作パネル部の操作入力点における画像に対して予め設定された画像表示機能を当該判別時に実行する機能実行処理とを実行させるものである。
【発明の効果】
【００２４】
このような本発明に係るパネル操作システムおよびパネル操作装置では、パネル操作用スタイラスペンのタッチ操作部で操作パネル部をタッチ操作するとともに、上記スタイラスペン本体に配置されたスイッチ部をオンオフ操作すると、パネル操作装置の位置検出部がタッチ入力点の位置座標を検出する一方、入力部がパネル操作用スタイラスペンからの指示信号を入力し、入力された指示信号を制御部が判別するとともに、その操作パネル部の操作入力点における画像に対して予め設定された画像表示機能を当該判別時に実行制御するから、表示機能を実現するためのパネル操作用スタイラスペンの移動範囲を小さくすることが容易となる。
【００２５】
本発明において、その制御部がその画像表示機能として画像の直前操作内容を実行制御する構成では、パネル操作用スタイラスペンの移動範囲を小さくしても、画像の直前の操作内容を簡単に実行可能である。
【００２６】
本発明において、その画像表示機能として画像のコピー機能を実行制御する構成では、パネル操作用スタイラスペンの移動範囲を小さくしても、画像のコピー機能を実行可能である。
【００２７】
本発明において、その制御部がその記画像表示機能として画像の整列機能を実行制御する構成では、パネル操作用スタイラスペンの移動範囲を小さくしても、画像の整列機能を実行可能である。
【００２８】
本発明において、その画像表示機能としてメニュー表示機能を実行制御する構成では、パネル操作用スタイラスペンの移動範囲を小さくしても、直前に表示したメニュー表示機能や表示画像の整列メニュー表示機能を実行可能である。
【００２９】
本発明において、そのパネル操作用スタイラスペンからの無線指示信号を受信入力する構成では、パネル操作用スタイラスペンの向きに拘わらず、上述した指示信号の入力が可能となる。
【発明を実施するための最良の形態】
【００３０】
以下、本発明の実施の形態を図面を参照して説明する。なお、従来構成と共通する部分には同一の符号を付し、本発明に係るパネル操作装置およびパネル操作処理プログラムはパネル操作システムを説明する過程で説明する。
【００３１】
図１は本発明に係るパネル操作システムの実施の形態を示す概略構成図であり、パネル操作装置およびパネル操作用スタイラスペンによって構成される。
【００３２】
図１において、パネル操作装置１は、操作前面側に配置された表示パネル部３およびこの前面に重ねられた操作パネル部５を有する例えばパーソナルデータ処理端末であり、操作パネル部５の周囲に分散配置された複数の操作スイッチ７および入力部としての受信部９を有し、パネル操作用スタイラスペン１１によって操作パネル部５および操作スイッチ７上をタッチして操作入力を受けて動作するようになっている。なお、操作パネル部５は表示パネル部３に重ねられるので、図１では峻別されていない。
【００３３】
次に、便宜上、パネル操作用スタイラスペン１１から説明する。
【００３４】
パネル操作用スタイラスペン１１は、図２に示すように、筒型のスタイラスペン本体１３と、このスタイラスペン本体１３に配置されたタッチ操作部１５、スイッチ部１７および送信部１９とを有して形成されている。
【００３５】
タッチ操作部１５は、スタイラスペン本体１３の下端に配置された先が比較的尖った形状であって操作スイッチ７上をタッチして操作入力するものであり、スイッチ部１７は、スタイラスペン本体１３の若干下方に寄った位置に外部に向けて配置され、スタイラスペン本体１３を把持したとき、操作者の例えば人差し指が当たり易い位置に配置され、タッチ時にオン、非タッチ時にオフしてオンオフ指示信号を出力するタッチスイッチである。
【００３６】
送信部１９は、スイッチ部１７のオンオフ操作によってオンオフ指示信号を変調し、外部に向けて無線送信するアンテナ等を含む出力部であり、後述するようにスタイラスペン本体１３に内蔵された電子回路に接続されている。
【００３７】
すなわち、スタイラスペン本体１３には、スイッチ部１７および送信部１９の他、図３に示すように、スイッチ制御部２１、記憶部２３、制御部２５が内蔵されている。
【００３８】
スイッチ制御部２１は、スイッチ部１７のオンオフ操作を検出し、この操作内容を記憶部２３に記憶するとともにスイッチ部１７の操作有無を制御部２５に出力する機能を有しており、記憶部２３は、制御部２５の制御の下、その検出内容や制御部２５の動作処理中の中間データその他を記憶する機能を有している。
【００３９】
主制御部２７は、ＣＰＵおよびこのＣＰＵの動作プログラムを格納したＲＯＭ等を有して形成され、その操作内容を記憶部２３から読み出し、操作内容に応じたオンオフ指示信号を送信部１９に出力する機能を有している。
【００４０】
主制御部２７は、例えばスイッチ部１７のワンショット押下によるオン操作が行われたとき、ワンショットのオン信号を出力する一方、押したままの継続オン操作が行われたとき、継続するオン信号を出力する。
【００４１】
送信部１９は、そのオン信号に基づき高周波信号を変調してアンテナから外部に向けて無線信号を送信する機能を有している。なお、図１および図２における送信部１９は、実質的にはそのアンテナである。
【００４２】
次に、本発明に係るパネル操作装置１を図４を参照して説明する。
【００４３】
図４において、パネル操作装置１は、上述した表示パネル部３、操作パネル部５および受信部９に加えて、主制御部２７を中心に記憶部２９、表示制御部３１、位置検出部３３等を内蔵して構成されている。
【００４４】
主制御部２７は、受信部９、記憶部２９、表示制御部３１および位置検出部３３等を制御するもので、制御演算機能の主要部をなすＣＰＵやこのＣＰＵの動作プログラムを格納したＲＯＭを有している。なお、主制御部２７および受信部９の機能は後述する。
【００４５】
記憶部２９は、主制御部２７の制御の下、パネル操作装置１の動作プログラム、表示パネル部３に表示させる画像データおよびこの表示位置情報を記憶する他、パネル操作用スタイラスペン１１の使用に伴う直前操作機能や種々の画像表示機能手順、パネル操作装置１の動作中の中間データを一時的に記憶する読み書き可能なメモリであり、表示制御部３１および位置検出部３３に接続されている。
【００４６】
パネル操作用スタイラスペン１１の使用時の直前操作機能としては、線色選択用の色パレット表示機能、線種選択用の線種パレット表示機能、線幅選択用の線幅パレット表示機能、塗りつぶし色選択用の色パレット表示機能、塗りつぶしパターン選択用のパターンパレット表示機能、図形選択用の図形パレット表示機能等の「再選択機能」がある。
【００４７】
パネル操作用スタイラスペン１１の使用に伴う画像表示機能としては、画像のコピー機能、画像の整列機能、メユー表示機能等があり、予め、それら再選択機能や種々の画像表示機能と、上述したスイッチ部１７のワンショットオン押下や継続押下といった複数のオンオフ操作組合せとが対応付けられ、この対応付けデータが記憶部２９に記憶されるようになっている。なお、それらの画像表示機能の個々の形態を「モード」、例えば「コピーモード」と称する。
【００４８】
しかも、それら「再選択モード」、「コピーモード」又は「整列モード」等は、パネル操作用スタイラスペン１１による操作入力点の画像でタッチしスイッチ部１７が操作されたとき、記憶部２９の上述した対応付けデータが参照され、該当する画像表示機能が実行される。詳細は後述する。
【００４９】
表示制御部３１は、主制御部２７からの制御信号および記憶部２９からの画像データに基づき、表示パネル部３で実際に表示できる表示画像データを形成するとともに、これを表示させるために表示パネル部３を動作制御する機能を有する。
【００５０】
表示パネル部３は、図１に示したように、操作面を外部に向けて配置された公知の例えば液晶ディスプレイであり、表示制御部３１によって表示制御されて画像が表示される。
【００５１】
表示パネル部３には、図１に示したように、これと同形状の操作パネル部５が外部に向けて重ねるように配置されている。
【００５２】
操作パネル部５は、例えば透過性シートに電極を配置した静電形タッチスイッチを入力点とし、これら入力点が平面的に縦横方向に多数配列されて形成されており、パネル操作用スタイラスペン１１のタッチ操作部１５によってタッチされた入力点がオン動作し、縦方向および横方向からオン信号を出力するものであり、パネル操作用スタイラスペン１１によって操作入力を受付ける公知の構成および機能を有し、位置検出部３３に接続されている。
【００５３】
位置検出部３３は、操作パネル部５上でパネル操作用スタイラスペン１１によってタッチされてオン動作した入力点から出力されたオン信号に基づき、操作パネル部５上のオン動作した入力点の座標位置を検出するものであり、タッチ検出位置情報を記憶部２９に出力するとともに、タッチ操作有無情報を主制御部２７に出力する機能を有している。
【００５４】
受信部９は、パネル操作用スタイラスペン１１からの無線信号を図示しないアンテナで受信し、受信信号を復調してオンオフ信号を生成するとともに、生成信号を主制御部２７に出力する機能を有する入力部である。
【００５５】
主制御部２７は、表示制御部３１および記憶部２９を制御し、記憶部２９の画像データを表示制御部３１に出力制御して表示パネル部３に表示制御する機能の他、パーソナルデータ処理端末としての一般的機能を有している。
【００５６】
主制御部２７は、位置検出部３３および記憶部２９から検出位置情報を取得し、パネル操作用スタイラスペン１１におけるタッチ操作部１５のタッチした位置を入力座標とし、この入力座標から操作入力点を算出する機能を有している。
【００５７】
主制御部２７は、パネル操作用スタイラスペン１１による操作入力点の画像へのタッチ操作と、受信部９から入力された指示信号すなわちスイッチ部１７のオンオフ操作組合せとに基づき、タッチ操作された画像を該当画像表示機能に関連付けて記憶部２９に記憶制御する機能を有している。
【００５８】
また、主制御部２７は、それに連続してパネル操作用スタイラスペン１１が表示パネル部３にタッチ操作されるとともにスイッチ部１７がオンオフ操作されたとき、記憶部２９の対応付けデータを参照し、受信部９から入力された指示信号が「コピーモード」、「再選択モード」又は「整列モード」の何れに該当するかを判別するとともに、当該判別時においてパネル操作用スタイラスペン１１のタッチ操作入力点における画像に対し、その判別モードに対応し予め設定された画像表示機能で画像を記憶部２９から読み出し実行し、表示制御部３１を表示制御する機能を有している。
【００５９】
例えば、「コピーモード」であれば、スイッチ部１７を押したままタッチ操作部１５が図形にタッチされたとき、主制御部２７はその図形を「コピーモード」に関連付けて記憶制御し、スイッチ部１７を押したまま図形のない領域がタッチされることによって記憶図形を当該領域にコピー制御する（貼付ける）。
【００６０】
「再選択モード」であれば、スイッチ部１７を押すことで、主制御部２７がその図形を「再選択モード」に関連付けて記憶制御し、パネル操作用スタイラスペン１１のタッチ操作により、直前に操作した選択内容をタッチした領域に呼び出し、例えば図９Ｂに示すように、タッチした領域に色パレットＰを表示制御する。
【００６１】
さらに、「整列モード」であれば、「整列モード」に関連付けて画像が記憶制御されるが、スイッチ部１７を押したままか、離したまま（押していない状態）では、タッチ位置の内容によって動作が異なる。
【００６２】
すなわち、スイッチ部１７を離したままタッチ操作部１５中の図形のない領域がタッチされれば、主制御部２７は選択領域をクリア処理し、スイッチ部１７を押したままタッチ操作部１５中の図形のない領域がタッチされれば、主制御部２７は整列パレットを表示処理する。
【００６３】
また、スイッチ部１７を離したままタッチ操作部１５中の図形領域がタッチされれば、主制御部２７は対象図形を中心にした整列処理し、スイッチ部１７を押したままタッチ操作部１５中の図形領域がタッチされれば、主制御部２７は整列対象としての図形を追加処理する。
【００６４】
なお、ここで「整列モード」とは、ＡとＢ２個の図形があった場合、Ｂの図形をＡの図形の縦軸中心位置に所定間隔で整列するモードである。
【００６５】
これらの表示機能は、後述するフローチャートを用いた動作説明によってより明らかになる。
【００６６】
次に、本発明に係るパネル操作システムの動作を図６のフローチャートを参照して説明する。なお、図６は、予め、パネル操作用スタイラスペン１１によって何らかの画像表示選択等の処理がなされた後の動作である。
【００６７】
ステップＳ１にて操作パネル部５上の入力座標位置を位置検出部３３が位置検出するとともに、パネル操作用スタイラスペン１１からの指示信号が受信部９から入力処理され、ステップＳ２にて主制御部２７がモードを判別する。
【００６８】
ステップＳ２にて主制御部２７がコピーモードであると判別すると、ステップＳ３にて主制御部２７が表示制御部３１を制御して表示パネル部３に直前の内容のコピーを貼付け処理し、ステップＳ１に戻る。
【００６９】
ステップＳ２にて主制御部２７が再選択モードであると判別すると、ステップＳ４にて主制御部２７が直前の選択操作を判別し、ステップＳ２にて主制御部２７が整列モードであると判別すると、ステップＳ５にて主制御部２７がスイッチ部の状態とタッチ位置内容を判別する。
【００７０】
ステップＳ４にて主制御部２７が線色選択であると判別すると、ステップＳ６にて主制御部２７が表示制御部３１を制御して表示パネル部３に色パレットを表示してステップＳ１に戻る。
【００７１】
ステップＳ４にて主制御部２７が線種選択であると判別すると、ステップＳ７にて主制御部２７が表示制御部３１を制御して表示パネル部３に線種パレットを表示してステップＳ１に戻り、ステップＳ４にて主制御部２７が線幅選択であると判別すると、ステップＳ８にて主制御部２７が表示制御部３１を制御して表示パネル部３に線幅パレットを表示してステップＳ１に戻る。
【００７２】
ステップＳ４にて主制御部２７が塗りつぶし色選択であると判別すると、ステップＳ９にて主制御部２７が表示制御部３１を制御して表示パネル部３に色パレットを表示してステップＳ１に戻る。
【００７３】
ステップＳ４にて主制御部２７が塗りつぶしパターン選択であると判別すると、ステップＳ１０にて主制御部２７が表示制御部３１を制御して表示パネル部３にパターンパレットを表示してステップＳ１に戻り、ステップＳ４にて主制御部２７が図形選択であると判別すると、ステップＳ１１にて主制御部２７が表示制御部３１を制御して表示パネル部３に図形パレットを表示してステップＳ１に戻る。
【００７４】
そして、ステップＳ５にて主制御部２７がスイッチ部１７を離したままのタッチであると判別すると、ステップＳ１２にて主制御部２７が選択状況をクリア処理してステップＳ１に戻り、ステップＳ５にて主制御部２７が押したままタッチであると判別すると、ステップＳ１３にて主制御部２７が表示制御部３１を制御して表示パネル部３に整列パレットを表示し、ステップＳ１に戻る。
【００７５】
ステップＳ５にて主制御部２７がスイッチ部１７を離したままの図形タッチと判別すると、ステップＳ１４にて主制御部２７が表示制御部３１を制御して表示パネル部３に対象図形を中心に整列処理し、ステップＳ１に戻る。
【００７６】
ステップＳ５にて主制御部２７がスイッチ部１７を押したままの図形タッチと判別すると、ステップＳ１５にて主制御部２７が表示制御部３１を制御して表示パネル部３に整列対象として図形を追加処理してステップＳ１に戻る。
【００７７】
このような処理ステップが、本発明のパネル操作処理プログラムによって実行される。
【００７８】
このように本発明のパネル操作システムは、パネル操作装置１およびパネル操作用スタイラスペン１１とで構成されている。
【００７９】
しかも、パネル操作装置１は、タッチによって操作入力する入力点が多数配列された操作パネル部５と、タッチされた入力点の位置座標を検出する位置検出部３３と、そのタッチ操作を行うパネル操作用スタイラスペン１１からの指示信号を入力する受信部（入力部）９と、入力された指示信号を判別するとともにその操作パネル部５における操作入力点に対して予め設定された画像表示機能を当該判別時に実行制御する主制御部２７とを有している。
【００８０】
また、パネル操作用スタイラスペン１１は、スタイラスペン本体１１と、このスタイラスペン本体１１に配置されそのパネル操作装置１の操作パネル部５をタッチ操作するタッチ操作部１５と、そのスタイラスペン本体１１に配置されたスイッチ部１７と、このスイッチ部１７のオンオフ操作に基づく指示信号を出力する送信部（出力部）１９とを有している。
【００８１】
そのため、パネル操作用スタイラスペン１１のスイッチ部１７を押すことで、直前に操作した選択内容、例えば図９Ｂに示すような色パレットＰをタッチ操作部１５でタッチした領域に呼び出し表示することが可能となり、タッチ領域に呼び出した色パレットＰを使用すれば、画像表示機能を実現するためのパネル操作用スタイラスペン１１の移動範囲を小さくすることが容易となる。
【００８２】
しかも、パネル操作用スタイラスペン１１の小さな移動範囲で、画像のコピー機能や直前に表示したメニュー表示機能や表示画像の整列メニュー表示機能を実行可能となる。
【００８３】
さらに、パネル操作用スタイラスペン１１からの無線指示信号をパネル操作装置１で受信入力するから、パネル操作用スタイラスペン１１とパネル操作装置１を接続する接続コード類が邪魔にならず、パネル操作用スタイラスペン１１の向きに拘わらず、上述した画像表示機能を実行可能となる。
【００８４】
そして、上述した本発明においては、パネル操作用スタイラスペン１１とパネル操作装置１を無線通信で接続したが、本発明ではこれに限定されず、ケーブルで双方を接続する構成も可能であり、これに合わせてパネル操作用スタイラスペン１１の出力部やパネル操作装置１の入力部を形成すれば良い。
【００８５】
ところで、本発明に係るパネル操作処理プログラムにつき言及すれば、タッチによって操作入力する入力点が多数配列された操作パネル部に対し、タッチ操作によってその操作パネル部を制御する制御用コンピュータに、タッチによってその入力点の操作入力を受ける入力処理と、この入力処理を受けた入力点の位置を検出する位置検出処理と、そのタッチ操作を行うパネル操作用スタイラスペンからの指示信号を入力する入力処理と、入力された指示信号を判別処理するとともにその操作パネル部の操作入力点における画像に対して予め設定された画像表示機能を当該判別時に実行する機能実行処理とを実行させる構成となっている。
【００８６】
このような本発明に係るパネル操作処理プログラムにおいて、その機能実行処理が画像コピー機能、メニュー表示機能、又は直前に表示したメニュー表示機能を実行したり、更に、表示画像の整列メニュー表示機能を実行する構成も可能であり、上述したパネル操作装置１およびパネル操作用スタイラスペン１１と同様の効果を得ることが可能である。
【００８７】
なお、本発明に用いる操作パネル部５は、上述した静電形タッチスイッチに限定されず、例えば静電容量式、感圧式等の公知の構成で実施可能である。
【００８８】
また、本発明は、上述したパーソナルデータ処理端末に限らず、タッチパネルを有する携帯型ゲーム機、ＣＡＤ用のデジタイザ、絵画用のタブレット等に広く応用可能である。
【図面の簡単な説明】
【００８９】
【図１】本発明に係るパネル操作システムの実施の形態を示す概略構成図である。
【図２】本発明に係るパネル操作用スタイラスペンの実施の形態を示す外観図である。
【図３】本発明に係るパネル操作用スタイラスペンの構成を示すブロック図である。
【図４】本発明に係るパネル操作装置の実施の形態を示すブロック図である。
【図５】本発明に係るパネル操作装置の動作を説明するフローチャートである。
【図６】従来および本発明に係るパネル操作装置の動作を説明する図である。
【符号の説明】
【００９０】
１  パネル操作装置
３  表示パネル部
５  操作パネル部
７  操作スイッチ
９  受信部（入力部）
１１  パネル操作用スタイラスペン
１３  スタイラスペン本体
１５  タッチ操作部
１７  スイッチ部
１９  送信部（出力部）
２１  スイッチ制御部
２３、２９  記憶部
２５  制御部
２７  主制御部
３１  表示制御部
３３  位置検出部
Ｐ  パレット
【図１】
2009025861.tif 000003
【図２】
2009025861.tif 000004
【図３】
2009025861.tif 000005
【図４】
2009025861.tif 000006
【図５】
2009025861.tif 000007
【図６】
2009025861.tif 000008